(57)【要約】      （修正有）【課題】設置場所に関する制約が少ない縦型の猫用爪研ぎを提供する。【解決手段】底面部材１０と、底面部材から上方に向けて配置された支柱１５と、支柱に差し込まれた円筒部材とを有し、円筒部材の外周表面には、猫が爪を研ぐための爪研ぎ部材２１が配置されている猫用爪研ぎである。底面部材の底面側に、全体のバランスを保つ安定化部材１６が配置されており、支柱が安定化部材に固定されていることが好ましい。支柱は、上下方向に分割・接続可能であることが好ましい。底面部材の上面側にも、猫が爪を研ぐための爪研ぎ部材１１が配置されていることが好ましい。【選択図】図１
0003192592.tif 000002
【実用新案登録請求の範囲】
【請求項１】
底面部材と、前記底面部材から上方に向けて配置された支柱と、前記支柱に差し込まれた円筒部材とを有し、
前記円筒部材の外周表面には、猫が爪を研ぐための爪研ぎ部材が配置されている猫用爪研ぎ。
【請求項２】
前記底面部材の底面側に、全体のバランスを保つための安定化部材が配置されており、前記支柱が前記安定化部材に固定されている請求項１に記載の猫用爪研ぎ。
【請求項３】
前記支柱は、上下方向に分割・接続可能である請求項１又は２に記載の猫用爪研ぎ。
【請求項４】
前記底面部材の上面側に、猫が爪を研ぐための爪研ぎ部材が配置されている請求項１〜３のいずれか１項に記載の猫用爪研ぎ。
【考案の詳細な説明】
【技術分野】
【０００１】
本考案は、猫が爪を研ぐための猫用爪研ぎに関する。
【背景技術】
【０００２】
猫には、カーペット、段ボール、木などに爪をたてて爪研ぎをする習性がある。その理由としては、古い爪をはがして鋭くするため、ニオイをつけて自分の場所であることを示すため、ストレス解消のためなどと言われている。そのため、放っておくと家のカーペット、柱、壁、家具など様々な場所で猫が爪研ぎをしてしまい、家中が傷だらけになってしまう。そこで、専用の猫用爪研ぎを猫に与えることが有効である。
【０００３】
特許文献１及び２には、平面状の猫用爪研ぎが記載されている。これらの猫用爪研ぎは、猫が遊びながらにして爪が研げるように工夫されている。また、非特許文献１には、「Ｇａｒｉ  Ｇａｒｉ  Ｌｏｕｎｇｅ（ガリガリラウンジ）」や「Ｇａｒｉ  Ｇａｒｉ  Ｃｉｒｃｌｅ（ガリガリサークル）」なる猫用爪研ぎが記載されている。これらの猫用爪研ぎは、猫がリラックスしてくつろぎながら爪が研げるように工夫されている。
【０００４】
ただし、猫には上に登ろうとする習性もあり、上記のような平面状の猫用爪研ぎを猫に与えても、壁や柱など登ろうとしながら爪研ぎをすることを防止することはできない。そこで、特許文献３及び４には、壁型の猫用爪研ぎが記載されている。また、非特許文献１には、「Ｇａｒｉ  Ｇａｒｉ  Ｗａｌｌ（ガリガリウォール）」なる壁型の猫用爪研ぎが記載されている。これらの猫用爪研ぎは、猫が壁部分を登ろうとする際に爪が研げるように工夫されている。
【先行技術文献】
【特許文献】
【０００５】
【特許文献１】実開平４−７１４５０号公報
【特許文献２】特開平８−１１８号公報
【特許文献３】実開昭６３−１９３４５４号公報
【特許文献４】特開２００４−３２１０４４号公報
【非特許文献】
【０００６】
【非特許文献１】http://www.aimcreate.co.jp/shouhin/products_mju.html
【考案の概要】
【考案が解決しようとする課題】
【０００７】
しかし、壁型の猫用爪研ぎは、安定性の問題から部屋の壁面に設置する必要があり、設置場所が限られていた。
【０００８】
そこで、本考案は、設置場所に関する制約が少ない縦型の猫用爪研ぎを提供することを目的とする。
【課題を解決するための手段】
【０００９】
本考案は、底面部材と、前記底面部材から上方に向けて配置された支柱と、前記支柱に差し込まれた円筒部材とを有し、前記円筒部材の外周表面には、猫が爪を研ぐための爪研ぎ部材が配置されている猫用爪研ぎである。
【考案の効果】
【００１０】
本考案によれば、設置場所に関する制約が少ない縦型の猫用爪研ぎを提供できる。
【図面の簡単な説明】
【００１１】
【図１】本考案の一実施形態に係る猫用爪研ぎを組み立てた状態を示す模式的斜視図である。
【図２】本考案の一実施形態に係る猫用爪研ぎを組み立てた状態を示す模式的正面図である。
【図３】本考案の一実施形態に係る猫用爪研ぎを組み立てる前の状態を示す模式的斜視図である。
【考案を実施するための形態】
【００１２】
本考案の一実施形態に係る猫用爪研ぎを組み立てた状態の斜視図を図１に示す。図１の猫用爪研ぎ１は、底面部材１０と、底面部材１０から上方に向けて配置された支柱１５と、支柱１５に差し込まれた円筒部材２０とを有する。そして、円筒部材２０の外周表面には、猫が爪を研ぐための爪研ぎ部材２１が配置されている。このようなポール状の猫用爪研ぎ１は、猫が円筒部材２０の外周表面に配置された爪研ぎ部材２１で爪研ぎをしても倒れにくく安定しているので、部屋の壁面に設置する必要がない。
【００１３】
底面部材１０の上方からみた形状は、設置した際の安定性等を考慮して適宜選択することができ、例えば、三角形、四角形、五角形等の多角形、円形、楕円形とすることができる。図１の猫用爪研ぎ１のように、上方からみて円形の底面部材１０の場合、安定性の観点から、円筒部材２０の外形より大きい直径を有することが好ましい。底面部材１０の上方からみた円の直径は、設置した際の安定性等を考慮して、３０〜５０ｃｍであることが好ましく、例えば４０ｃｍとすることができる。底面部材１０全体の厚さは、２〜１０ｃｍであることが好ましく、例えば５ｃｍとすることができる。
【００１４】
底面部材１０の上面側には、猫が爪を研ぐための爪研ぎ部材１１が配置されていることが好ましい。こうすることで、底面の表面でも猫が爪を研ぐことができる。爪研ぎ部材１１の材質としては、カーペット、段ボール、木などが挙げられるが、段ボールが好ましい。段ボール製の爪研ぎ部材としては、段ボールが複数積層された段ボールブロックが挙げられる。段ボール部材であれば、容易に所望の形状に加工することができる。
【００１５】
底面部材１０の上面の外縁部には、図２に示すように、他の部分より高さの高い凸部１２が形成されていることが好ましい。こうすることで、猫が円筒部材２０の外周表面に配置された爪研ぎ部材２１で爪研ぎしたときの研ぎカスが、底面部材１０内に落ちやすくなる。凸部１２の高さは、１〜１０ｍｍが好ましく、３〜７ｍｍがより好ましく、例えば５ｍｍとすることができる。凸部１２の形成方法に関しては、底面部材１０の上面に凸部１２を形成するための部材を貼り付けてもよく、図２に示すように、底面部材１０の外周側面に凸部１２を形成するための部材を貼り付けてもよい。凸部１２を形成するための部材の材質は、紙、金属、木、セラミック、プラスチックなどが挙げられるが、紙が好ましい。
【００１６】
支柱１５は、底面部材１０から上方に向けて配置されており、円筒部材２０が差し込める状態であればよい。支柱１５の材質は、紙、金属、木、セラミック、プラスチックなどが挙げられるが、紙が好ましい。支柱１５の太さ（直径）は、２〜１０ｃｍであることが好ましく、例えば５ｃｍとすることができる。支柱１５の長さ（高さ）は、猫の大きさ（身長）や円筒部材２０の長さ（高さ）等を考慮して適宜選択できるが、支柱１５の全体の長さ（高さ）が、６０〜１００ｃｍであることが好ましく、７５〜９０ｃｍであることがより好ましく、例えば８０ｃｍであることができる。
【００１７】
支柱１５は、上下方向に分割・接続可能であることが好ましい。図１の猫用爪研ぎ１では、図３に示すように、支柱１５が２つに分割されており、ネジ等の接続部材（不図示）により接続可能となっている。こうすることで、支柱１５の長さ（高さ）を変えられるだけでなく、製品パッケージを小型化することができる。支柱１５の分割数は、２〜４が好ましい。１つの支柱１５の長さ（高さ）は、１５〜５０ｃｍとすることが好ましく、２５ｃｍ〜４５ｃｍとすることもでき、例えば４０ｃｍとすることができる。
【００１８】
支柱１５は、底面部材１０に固定されていてもよいが、図３に示すように、支柱１５が安定化部材１６に固定されていてもよい。このとき、安定化部材１６は、底面部材１０の底面側に配置される。例えば、安定化部材１６は、床と底面部材１０の間に挟まれていてもよく、底面部材１０の底面側が凹状になっていて、その凹部に安定化部材１６が設置されてもよい。なお、安定化部材１６は全体のバランスを保つためのものであり、安定化部材１６の材質は、金属、木、セラミック、プラスチックなどが挙げられるが、木が好ましい。
【００１９】
円筒部材２０は、支柱１５に差し込まれた状態で底面部材１０の上に配置される。前述のように、円筒部材２０の外周表面には、猫が爪を研ぐための爪研ぎ部材２１が配置される。爪研ぎ部材２１の材質としては、カーペット、段ボール、木などが挙げられるが、段ボールが好ましい。段ボール製の爪研ぎ部材としては、段ボールが複数積層された段ボールブロックが挙げられる。段ボール部材であれば、容易に円筒部材２０の形状に加工することができる。なお、円筒部材２０は、底面部材１０の上面に配置されてもよく、図１〜３に示すように、底面部材１０に差し込まれて配置されてもよい。
【００２０】
円筒部材２０の内径は、支柱１５を差し込める状態であればよく、１．５〜９．５ｃｍであることが好ましく、例えば４．５ｃｍとすることができる。円筒部材２０の外径は、５〜２０ｃｍであることが好ましく、例えば１２ｃｍとすることができる。円筒部材２０の長さ（高さ）は、猫の大きさ（身長）や支柱１５の長さ（高さ）等を考慮して適宜選択できるが、円筒部材２０の全体の長さ（高さ）が、６０〜１００ｃｍであることが好ましく、７５〜９０ｃｍであることがより好ましく、例えば８０ｃｍであることができる。円筒部材２０の長さ（高さ）は、支柱１５の長さ（高さ）と同じ又はそれ以下であることが好ましい。
【００２１】
円筒部材２０は、上下方向に分割されていることが好ましい。図１の猫用爪研ぎ１では、図２に示すように、円筒部材２０が２つに分割されている。こうすることで、円筒部材２０の長さ（高さ）を変えることができるだけでなく、製品パッケージを小型化することができる。円筒部材２０の分割数は、２〜４が好ましい。１つの円筒部材２０の長さ（高さ）は、１５〜５０ｃｍとすることが好ましく、２５ｃｍ〜４５ｃｍとすることもでき、例えば４０ｃｍとすることができる。
【００２２】
支柱１５の上部は開放でもよいが、キャップ１７がネジ等の接続部材（不図示）により接続されることが好ましく、それにより円筒部材２０が固定可能であることが好ましい。キャップ１７の材質は、紙、金属、木、セラミック、プラスチックなどが挙げられるが、紙が好ましい。
【００２３】
以上のような本考案に係る猫用爪研ぎであれば、猫が爪研ぎをしても倒れにくく安定しているので、部屋の壁面に設置する必要がない。
【符号の説明】
【００２４】
１    猫用爪研ぎ
１０  底面部材
１１  爪研ぎ部材
１２  凸部
１５  支柱
１６  安定化部材
１７  キャップ
２０  円筒部材
２１  爪研ぎ部材
【図１】
0003192592.tif 000003
【図２】
0003192592.tif 000004
【図３】
0003192592.tif 000005